(57)【要約】【課題】  ユーザが動画撮影しながらのズーミング処理をスムーズに記録するために、カメラに備わるレックビュー画面にズーミング画面イメージを再現し、ユーザがズーミングしながらの撮影をスムーズに行うことができる仕組みを提供することを目的とする。【解決手段】  ズームレンズにより、動画を撮影中に焦点距離を変更可能な撮影手段と、前記撮影中の画像を表示する表示手段を有する撮像装置であって、前記動画の撮影中に、所定の焦点距離にズームレンズの設定を変更する焦点距離変更手段と、前記所定の焦点距離にズームレンズを設定する前に、デジタルズームで前記所定の焦点距離への変更画像を前記表示手段に表示する擬似ズーム手段とを備え、前記撮影手段は、前記擬似ズーム手段により前記表示手段に表示後、ユーザの指示により、前記焦点距離変更手段により焦点距離を変更しながらの画像を撮影することを特徴とする。【選択図】  図１
2017085338.tif 000002
【特許請求の範囲】
【請求項１】
ズームレンズにより、動画を撮影中に焦点距離を変更可能な撮影手段と、
前記撮影中の画像を表示する表示手段を有する撮像装置であって、
前記動画の撮影中に、所定の焦点距離にズームレンズの設定を変更する焦点距離変更手段と、
前記所定の焦点距離にズームレンズを設定する前に、デジタルズームで前記所定の焦点距離への変更した画像を前記表示手段に表示する擬似ズーム手段とを備え、
前記撮影手段は、前記擬似ズーム手段により前記表示手段に表示後、ユーザの指示により、前記焦点距離変更手段により焦点距離を変更しながらの画像を撮影すること
を特徴とする撮像装置。
【請求項２】
前記ズームレンズにより焦点距離を変更する速度を設定する焦点距離変更速度設定手段と、
前記擬似ズーム手段は、前記焦点距離変更速度設定手段により設定された焦点距離の変更する速度で、デジタルズームで焦点距離を変更して前記表示手段に表示し、
前記撮影手段は、前記焦点距離変更速度設定手段により設定された焦点距離の変更する速度で、焦点距離を変更しながら撮影すること
を特徴とする撮像装置。
【請求項３】
前記擬似ズーム手段は、前記焦点距離変更手段により変更される所定の焦点距離に対応する変更された画像をデジタルズームにより表示し、前記撮影手段により撮影されている動画とともに表示することを特徴とする請求項１又は２に記載の撮像装置。
【請求項４】
前記擬似ズーム手段は、擬似ズームで表示できない部分を仮想的な領域として表示することを特徴とする請求項１乃至３に記載の撮像装置
【請求項５】
ズームレンズにより、動画を撮影中に焦点距離を変更可能な撮影工程と、
前記撮影中の画像を表示する表示工程を有する撮像装置における制御方法であって、
前記動画の撮影中に、所定の焦点距離にズームレンズの設定を変更する焦点距離変更工程と、
前記所定の焦点距離にズームレンズを設定する前に、デジタルズームで前記所定の焦点距離への変更した画像を前記表示工程で表示する擬似ズーム工程と、
前記撮影工程は、前記擬似ズーム工程により前記表示工程で表示後、ユーザの指示により、前記焦点距離変更工程により焦点距離を変更しながらの画像を撮影させること
を特徴とする制御方法。
【請求項６】
ズームレンズにより、動画を撮影中に焦点距離を変更可能な撮影手段と、
前記撮影中の画像を表示する表示手段を有する撮像装置で読み取り実行可能なプログラムであって、
前記撮像装置を、
前記動画の撮影中に、所定の焦点距離にズームレンズの設定を変更する焦点距離変更手段と、
前記所定の焦点距離にズームレンズを設定する前に、デジタルズームで前記所定の焦点距離への変更した画像を前記表示手段に表示する擬似ズーム手段を備え、
前記撮影手段は、前記擬似ズーム手段により前記表示手段に表示後、ユーザの指示により、前記焦点距離変更手段により焦点距離を変更しながらの画像を撮影するように
機能させることを特徴とするプログラム。
【発明の詳細な説明】
【技術分野】
【０００１】
本発明は、撮像装置、その制御方法とプログラムに関する。
【背景技術】
【０００２】
動画撮影中に光学ズームで焦点距離を変更して動画を撮影することができる撮像装置がある。動画撮影中にユーザが光学ズームで焦点距離を変更する際、ユーザが望むような画角になるように調整するには、カメラ操作に慣れが必要になる。図２を参照して説明する。例えば、動画撮影中にユーザが図２の（ａ）のように、スムーズにズームインする映像を撮影したい場合、カメラのズーム操作に慣れていないユーザは、図２の（ｂ）のように、理想の焦点距離になるまでにズームイン・ズームアウト操作をしてしまい、その間のユーザの行う操作（ズームイン／アウト）も、全て動画に記録されてしまう。
【０００３】
特許文献１には、ズーミング操作のミスを防ぐため、被写体側に赤色に発行するリモコンを配置し、カメラ本体はＣＣＤでこの画像を撮像して発行するリモコンを検出する。発行するリモコンの位置が画像全体のフレームの中の内枠の枠上にくるように制御し、被写体になっている利用者がリモコンを左右に動かすことでズームイン／アウトの制御を感覚的にすることができることが記載されている。
【先行技術文献】
【特許文献】
【０００４】
【特許文献１】特開２００３−２８９４６４号公報
【発明の概要】
【発明が解決しようとする課題】
【０００５】
しかしながら、特許文献１では被写体側のリモコンを頼りにズームイン・アウト領域を決めているため、動画撮影の際のズーミングのイメージを掴むことは難しい。
【０００６】
また、ユーザがファインダやレックビュー画面を確認しながらズーミング操作を行うと、カメラ操作に慣れていない場合、前記図２の（ｂ）のように、理想の焦点距離に合わせるまでのズーミング過程が動画に記録されてしまい、焦点距離変更の不安定な過程が記録され動画の品位が悪くなる。
【０００７】
本発明は、ユーザが動画撮影しながらのズーミング処理をスムーズに記録するために、カメラに備わるレックビュー画面にズーミング画面イメージを再現し、ユーザがズーミングしながらの撮影をスムーズに行うことができる仕組みを提供することを目的とする。
【課題を解決するための手段】
【０００８】
本発明は、ズームレンズにより、動画を撮影中に焦点距離を変更可能な撮影手段と、前記撮影中の画像を表示する表示手段を有する撮像装置であって、前記動画の撮影中に、所定の焦点距離にズームレンズの設定を変更する焦点距離変更手段と、前記所定の焦点距離にズームレンズを設定する前に、デジタルズームで前記所定の焦点距離への変更画像を前記表示手段に表示する擬似ズーム手段とを備え、前記撮影手段は、前記擬似ズーム手段により前記表示手段に表示後、ユーザの指示により、前記焦点距離変更手段により焦点距離を変更しながらの画像を撮影することを特徴とする。
【発明の効果】
【０００９】
本発明により、ユーザが動画撮影しながらのズーミング処理をスムーズに記録するために、カメラに備わるレックビュー画面にズーミング画面イメージを再現し、ユーザがズーミングしながらの撮影をスムーズに行うことができる仕組みを提供することが可能となる。
【図面の簡単な説明】
【００１０】
【図１】本発明の撮像装置のハードウェア構成図の一例を示す模式図である。
【図２】本発明の課題を説明するためのユーザが操作した際の時間と焦点距離の関係を示す模式図である。
【図３】本発明の実施形態を表すために撮像装置１００のシステム制御部１１２または図示しない撮像装置１００のＣＰＵが実行する焦点距離変更の処理を説明するフローチャートである。
【図４】本発明の実施形態を表すために撮像装置１００のシステム制御部１１２または図示しない撮像装置１００のＣＰＵが実行する焦点距離変更の処理を説明するフローチャートである。
【図５】本発明の実施形態における撮像装置１００の表示部５４に表示されるメニュー画面イメージを示す模式図である。
【図６】本発明の実施形態における撮像装置１００の表示部５４に表示されるメニュー画面イメージを示す模式図である。
【図７】本発明の実施形態における撮像装置１００の表示部５４に動画記録の際に表示される画面イメージを示す模式図である。
【図８】本発明の実施形態における撮像装置１００の表示部５４に表示される動画記録中のズームシミュレーションの設定画面イメージを示す模式図である。
【図９】本発明の実施形態における撮像装置１００の表示部５４に表示される動画記録中のズームシミュレーションの設定画面イメージを示す模式図である。
【図１０】本発明の実施形態における撮像装置１００の表示部５４に表示されるズームシミュレーション及び動画記録時の例を示す模式図である。
【発明を実施するための形態】
【００１１】
以下、図面を参照して、本発明の実施形態を詳細に説明する。
【００１２】
図１は、本発明の実施形態に係る撮像装置の一例としてデジタルカメラの主な機能構成を示すブロック図である。
【００１３】
撮影レンズ１０は、その焦点距離を連続的に変えるためのズームレンズと、ピントを調整するフォーカスレンズとから構成されている。これらのレンズは、ズーム制御部４４、測距制御部４２により駆動される。撮影レンズ１０は、撮像素子１４の撮像面上に被写体を結像する。撮像素子１４は、撮像面上に結像された被写体像の光強度に応じた電気信号を出力する光電変換撮像素子であり、ＣＣＤ型やＭＯＳ型の個体撮像素子が用いられる。
【００１４】
絞り１２は、露光制御部４０により稼働される。撮像素子１４からのアナログ映像信号は、Ａ／Ｄ変換器１６に入力され、アナログ信号からデジタル信号に変換される。Ａ／Ｄ変換されたデジタル信号は、ガンマ補正、ホワイトバランス補正などの種々の画像処理が画像処理部２０で施される。画像表示メモリ２４は、撮像素子１４で撮像された複数フレーム分のデータを記憶することができるメモリである。画像処理された画像データは、画像表示メモリ２４に一時記憶される。
【００１５】
システム制御部１１２は、露光制御部４０やカメラ姿勢検知部１０６等と接続され、カメラが動作する際のシーケンス制御を行う。システム制御部１１２には、カメラの電源をオン／オフする電源スイッチ７２、レリーズに連動して、設定されたシャッタースピード値でシャッターが開閉するシャッタースイッチ６２及び全押しスイッチ６４、表示部５４に表示されるカメラを撮影する際の各種メニュー内容を選択するための操作部７０が設けられている。被写体輝度が低い場合には、フラッシュ４８を発光させる。なお、画像表示部２８と表示部５４を同一の構成としてもよい。また、本実施の形態における画像表示部２８（表示部５４）は、タッチパネル機能を有しており、ユーザによりタッチされた位置を特定することが可能となっている。このタッチパネル機能で必要なタッチ検出機構は画像表示部２８（表示部５４）に備えているものとして説明する。なお、タッチパネル機能自体は既知の技術であり、詳細な説明は省略する。
【００１６】
画像表示メモリ２４に記憶された画像データは、画像処理部２０で変換された画像データの他に被写体の顔などの特徴位置を求めるフォーカス情報または固定位置に配置されたピント確認位置とピントが一致した場所の情報やカメラ姿勢検知部１０６の情報などの影情報も一緒に記憶される。画像表示メモリ２４に記憶されたデータは、メモリカード等の記憶媒体２００，２１０（記録部２００、２１０）に記録される。画像データを記憶媒体２００，２１０に記録する際には、一般的に所定の圧縮形式、例えばＪＰＥＧ方式でデータ圧縮が行われる。圧縮伸長部３２は、画像データや撮影情報を記憶媒体２００，２１０に記録する際のデータ圧縮、及び記憶媒体２００，２１０から圧縮された画像データの伸長処理を行う。記憶媒体２００は、例えばコンパクトフラッシュ（登録商標）、メモリカード、ＳＤメモリカードのことである。
【００１７】
不揮発性メモリ５６は記憶されたデータ等を電気的に消去・記録可能な不揮発性メモリであり、例えばＥＥＰＲＯＭ等が用いられる。メモリ５２はシステム制御回路５０の動作用の定数、変数、プログラム等を記憶するメモリである。通信部は、通信機能を有する。
【００１８】
アンテナ（有線通信の場合はコネクタ）１１２は、通信部によりデジタルカメラを、パケット網、ネットワーク、インターネットを介して他の機器と接続する。コネクタ８２，８４は、電源制御部８０と電源８６とを接続する接続部である。電源８６は、アルカリ電池やリチウム電池等の一次電池、ＮｉＣｄ電池やＮｉＭＨ電池、Ｌｉ電池等の二次電池、ＡＣアダプター等からなる。
【００１９】
画像表示メモリ２４に書き込まれた表示用の画像データはＤ／Ａ変換回路２６を介して画像表示部２８により表示される。画像データを画像表示部２８に逐次表示することで、電子ファインダ機能を実現することが可能である。光学ファインダ１０４は、画像表示部２８による電子ファインダ機能を使用することなしに、光学ファインダのみを用いて撮影を行うことが可能である。
【００２０】
タイミング発生回路１８は、メモリ制御部２２及びシステム制御部１１２により制御される。メモリ３０は撮影した静止画像や動画像を格納するためのメモリである。バリア制御部４６は保護部１０２の動作を制御する。モードダイアルスイッチ６０は、電源オフ、自動撮影モード、撮影モード、パノラマ撮影モード、動画撮影モード、再生モード、マルチ画面再生・消去モード、ＰＣ接続モード等の各機能モードを切り替え設定することができる。再生モードスイッチ６６は、本実施の形態で説明している画像再生処理を実行させるためのモードスイッチである。姿勢モードスイッチ６８は、カメラを縦位置で撮影しているか横位置で撮影しているかを自動的に判断するスイッチである。
【００２１】
記憶媒体２００は、半導体メモリや磁気ディスク等から構成される記録部２０２と、デジタルカメラ１００との間のインターフェースであるＩ／Ｆ２０４と、デジタルカメラと接続を行うコネクタ２０６とを備える。記憶媒体２１０は、半導体メモリや磁気ディスク等から構成される記録部２１２と、デジタルカメラとの間のインターフェースであるＩ／Ｆ２１４と、デジタルカメラと接続を行うコネクタ２１６とを備える。Ｉ／Ｆ９０，９４はメモリカードやハードディスク等の記憶媒体２００，２１０とシステムバスとを接続するインターフェースである。コネクタ９２，９６は、メモリカードやハードディスク等の記憶媒体２００，２１０とＩ／Ｆ９０，９４とを接続する接続部である。記憶媒体着脱検知手段９８は、コネクタ９２，９６に記憶媒体２００，２１０が装着されているか否かを検知するセンサである。
【００２２】
画像データエリアには、オリジナルの画像が格納されている。画像データは、所定の圧縮形式、例えば、ＪＰＥＧ方式でデータ圧縮がなされているが、これに限定されるものではない。記憶装置５６には、圧縮・伸長を行うソフトウェアが記憶されており、ＲＡＭ５２に取り込んだ撮影情報を含む画像データの圧縮や圧縮された画像データの伸長処理を行う。
【００２３】
次に、図３および図４を参照して、本発明の処理の流れを説明する。
【００２４】
図３は、本発明の実施形態を表すために撮像装置１００のシステム制御部１１２または図示しない撮像装置１００のＣＰＵが実行する焦点距離変更の処理を説明するフローチャートである。
【００２５】
図３のフローチャートは、ユーザが動画を撮影しようとする際に開始されるフローチャートである。
【００２６】
まず、ステップＳ３００において、撮像装置１００は、撮像装置に装着レンズがズームレンズかどうかを判断する。装着レンズがズームレンズではない場合は、ステップＳ３０２へと処理を移行し、ズームレンズである場合は、ステップＳ３０１へと処理を移行する。なお、コンパクトデジタルカメラのように、ズームレンズが一体型となっている撮像装置の場合は、ステップＳ３００の処理は実施せず、自動的にステップＳ３０１の処理へと移行する。
【００２７】
ステップＳ３０１へと処理を移行すると、撮像装置１００は、メニュー画面を表示し、ユーザの入力を待つ。表示するメニュー画面を、図５を参照して説明する。
【００２８】
図５は、本発明の実施形態における撮像装置１００の表示部５４に表示されるメニュー画面イメージを示す模式図である。
【００２９】
図５の５００は、動画撮影前に表示される様々なメニュー項目を表示したものであり、５０１は、動画記録中のズームシミュレーションをするかしないかを選択する選択項目である。
【００３０】
図５の５０１欄がタッチパネル機能もしくは操作部７０の操作により選択されると、図６の画面に遷移する。
【００３１】
図６は、本発明の実施形態における撮像装置１００の表示部５４に表示されるメニュー画面イメージを示す模式図である。
【００３２】
図６の６００は、図５の５０１欄がタッチパネル機能もしくは操作部７０の操作により選択された後に表示される画面イメージである。
【００３３】
６０１の項目は６０２と６０３のように、「動画記録中のズームシミュレーション」を「する」か「しない」かを選択することができる。ユーザは、６０２のように「動画記録中のズームシミュレーション」の「する」をアクティブにした状態で、アクティブ部分をタッチパネル機能もしくは操作部７０の操作により選択すると、動画記録中のズームシミュレーションを実行するモードに移行し、６０３の「しない」欄を選択すると、動画記録におけるズームシミュレーションを実行しないモードに移行する。図３のフローチャートの説明に戻る。
【００３４】
ステップＳ３０１において、撮像装置１００は、メニュー画面を表示するとユーザの入力を図５及び図６のような画面で受け付け、ステップＳ３０３へと処理を移行する。
【００３５】
一方、ステップＳ３００で装着レンズがズームレンズではないと判断された場合は、ステップＳ３０２へと処理を移行し、図５のようなユーザへのメニュー画面の内、５０１欄を「しない」のままグレーアウト表示させ、ユーザが選択できない状態とする。その後、本発明の処理を終え、通常の動画撮影を開始する。
【００３６】
ステップＳ３０３へと処理を移行した場合、撮像装置１００は、ステップＳ３０１でユーザから入力された項目が、「動画記録中のズームシミュレーション」を「する」か「しない」かによって処理を分ける。「動画記録中のズームシミュレーション」を「する」である場合、ステップＳ３０４へと処理を移行し、本発明の動画記録処理を開始する。一方、「動画記録中のズームシミュレーション」を「しない」である場合は、本発明の処理を終え、通常の動画撮影を開始する。
【００３７】
ステップＳ３０４へと処理を移行すると、撮像装置１００は、本発明で実施する動画記録処理を開始する。本発明での動画記録処理の際に表示部５４に表示される画面イメージを図７を参照して説明する。
【００３８】
図７は、本発明の実施形態における撮像装置１００の表示部５４に動画記録の際に表示される画面イメージを示す模式図である。
【００３９】
図７の７００は、動画記録の際に表示される画面イメージ及び操作パネルであり、７０１は、動画記録中のズームシミュレーションの開始を指示するソフトウェアボタンである。なお、このボタンはタッチパネル上のソフトウェアボタンでも良いし、撮像装置本体に付属するハードウェアボタンでも良い。図３のフローチャートの説明に戻る。
【００４０】
次のステップＳ３０５以降で、動画記録中に図７の７０１ボタンが押下された場合の処理を説明する。ステップＳ３０５において、撮像装置１００は、ズームシミュレーションの開始を指示するボタン７０１が押下されると、次のステップＳ３０６へと処理を移行する。
【００４１】
ステップＳ３０６において、撮像装置１００は、動画記録中のズームシミュレーションの設定画面を表示し、ユーザの入力を受け付ける。表示する画面イメージを、図８を参照して説明する。
【００４２】
図８は、本発明の実施形態における撮像装置１００の表示部５４に表示される動画記録中のズームシミュレーションの設定画面イメージを示す模式図である。
【００４３】
図８の８００は、動画記録中のズームシミュレーションの設定画面を表示したものであり、８０４が現在の焦点距離で撮影されている撮像画像のイメージである。これ以降、焦点距離調整バー８０１やズーム速度調整バー８０２などのユーザ操作により、ズームシミュレーションの設定を変更する。図３のフローチャートの説明に戻る。
【００４４】
ステップＳ３０６において、動画記録中のズームシミュレーションの設定画面を表示した後、ユーザのタッチパネル操作もしくは操作部７０の操作により、操作指示を受け付けると、ステップＳ３０７以降へと処理を進める。
【００４５】
ステップＳ３０７において、撮像装置１００は、図８のズームシミュレーション設定画面から、ズーミング後の焦点距離が変更されたかを判断する。図８を参照して、焦点距離が変更される例を説明する。
【００４６】
図８の８００において、例えば、当初は焦点距離が１８ｍｍの画像を撮影（動画記録）していた場合、レックビュー画面である８０４は、１８ｍｍの画像を表示している。その際、焦点距離調整バー８０１のスライド位置は８０９の位置である。
【００４７】
上述のような図８の８００の状況において、動画記録中にズーミングをしたい場合、ユーザはタッチパネル機能もしくは図示しない操作部７０の操作により、焦点距離調整バーのスライド位置を変える指示をする。図３のフローチャートの説明に戻る。
【００４８】
ステップＳ３０７において、ユーザの操作が焦点距離の変更指示であれば、ステップＳ３０８へと処理を移行し、ユーザの操作が焦点距離の変更指示でなければ、ステップＳ４００へと処理を移行する。
【００４９】
ステップＳ３０８へと処理を移行した場合の処理の流れを説明する。
【００５０】
ステップＳ３０８において、撮像装置１００は、ステップＳ３０７でユーザから入力操作された焦点距離調整バー（図８の例では、８０１の値で、例えば８０８の位置）の値を取得する。
【００５１】
次に、ステップＳ３０９において、撮像装置１００は、表示部５４に図８の８０５のようなレビュー画面（擬似ズーム）を表示し、ステップＳ３０８で取得した焦点距離変更値でのデジタルズーム画像として表示する。この表示により、ズームインさせた後の全体の撮影イメージ（擬似ズームイメージ）を、光学ズームを変えることなく再現することができ、ズームインサイズ（焦点距離）を動画撮影しながら調整しなくても、設定したズームインサイズにミスなく変更することができる。
【００５２】
なお、焦点距離の変更値は図８のような焦点距離調整バーで調整しても良いし、別のデジタルズーム機能による指定でも構わない。
【００５３】
図８の例は、デジタルズームでのズームイン（焦点距離を大きくする）のイメージを説明しているが、逆にデジタルズームでのズームアウト（焦点距離を小さくする）のイメージを図９を参照して説明する。
【００５４】
図９は、本発明の実施形態における撮像装置１００の表示部５４に表示される動画記録中のズームシミュレーションの設定画面イメージを示す模式図である。
【００５５】
図９の９００は、動画記録中のズームシミュレーションの設定画面を表示したものであり、９０４が現在の焦点距離で撮影されている撮像画像のイメージである。９００の場合、焦点距離調整バー９０１の９０８のように１２０ｍｍまでズームインしている状態であり、その画像が９０４である。９００は、ユーザが焦点距離を１８ｍｍまでズームアウトしたい場合の例である。焦点距離調整バー９０１により、ユーザが９０９のように１８ｍｍまで焦点距離を変更すると、図８のレビュー画面８０５に該当する範囲は図９のレビュー画面９０５のように光学ズームでは撮影出来ていない範囲を黒枠（仮想的な領域）で表示し、ズームアウトさせた際に表示される全体像の中の現在撮影出来ている範囲のイメージを表示している。この表示により、ズームアウトさせた際の全体の撮影イメージを、光学ズームを変えることなくイメージさせることができ、ズームアウトの際にも、ズームアウトサイズを動画撮影中に調整しなくても、設定したズームアウトサイズにミスなく変更することができる。図３のフローチャートの説明に戻る。
【００５６】
以上で図３のフローチャートの説明を終えて、引き続き図４のフローチャートに遷移する。
【００５７】
図４は、本発明の実施形態を表すために撮像装置１００のシステム制御部１１２または図示しない撮像装置１００のＣＰＵが実行する焦点距離変更の処理を説明するフローチャートである。
【００５８】
図４のフローチャートは、図３のフローチャートに引き続いて実施されるフローチャートである。
【００５９】
まず、ステップＳ４００において、撮像装置１００は、図８のズームシミュレーション設定画面から、ズーム速度が変更されたかを判断する。図８を参照して、ズーム速度が変更される例を説明する。
【００６０】
図８の８００の動画記録中のズームシミュレーションの設定画面において、ユーザがズーム速度調整バー８０２を調整（変更）することにより、ズームインさせる焦点距離の変更速度（ズーム速度）を調整（変更）する。図４のフローチャートの説明に戻る。
【００６１】
図４のステップＳ４００において、図８の８１０のズーム速度調整バーが変更されているかを判断し、ズーム速度調整バーが変更されていれば、ステップＳ４０１へと処理を遷移し、ズーム速度調整バーが変更されていなければ、ステップＳ４０２へと処理を遷移する。
【００６２】
ステップＳ４０１へと処理を遷移すると、撮像装置１００は、図８の８００上のズーム速度調整バー８１０の値を取得する。
【００６３】
一方、ステップＳ４０２へと処理を遷移すると、撮像装置１００は、次の処理へと移行する。ステップＳ４０２において、撮像装置１００は、図８のズームシミュレーション設定画面に対するユーザの操作から、シミュレーションを開始するかどうかを判断する。図８を参照して、シミュレーションを開始するか否かの判断例を説明する。
【００６４】
図８の８００の動画記録中のズームシミュレーションの設定画面において、ユーザが再生ボタン８０３を押下した場合、撮像装置１００は、シミュレーションを開始する指示があったと判断し、ステップＳ４０３へと処理を遷移する。一方、再生ボタン８０３が押下されていないと判断した場合は、ステップＳ４０４へと処理を遷移する。
【００６５】
ステップＳ４０３へと処理を遷移すると、撮像装置１００は、ステップＳ３０８や、ステップＳ４０１で取得した焦点距離やズーム速度を参考に、表示部５４に実際に光学ズームをした際のイメージをデジタルズームで再現する。再現の例を図１０を参照して説明する。
【００６６】
図１０は、本発明の実施形態における撮像装置１００の表示部５４に表示されるズームシミュレーション及び動画記録時の例を示す模式図である。
【００６７】
図１０の１０００は、図８の８００の状況において、１２０ｍｍまでズームインさせるシミュレーションを実行した後の表示部５４に表示される画面イメージである。ズームシミュレーションは、当初図７の７００の１８ｍｍの焦点距離から、図１０の１０００の１２０ｍｍに至る間、デジタルズームによりズームインを行う。しかし、このズームシミュレーションは擬似的にズームインさせており、動画の記録は光学ズームの範囲全てを記録している。この後、ステップＳ４０５で実際の光学ズームによるズームインをして、鮮明でスムーズなズームイン動画を撮影する。図４のフローチャートの説明に戻る。
【００６８】
次に、ステップＳ４０４へと処理を移行すると、撮像装置１００は、図８のズームシミュレーション設定画面から、焦点距離変更を実行する「はい」ボタン８０６の押下を受け付けたかどうかを判断する。図８を参照して、焦点距離変更処理を実行するか否かの例を説明する。
【００６９】
図８の８００の動画記録中のズームシミュレーションの設定画面において、ユーザが焦点距離調整バーを操作し、現在の光学ズームの焦点距離８０４の画像と、これから光学ズームを変更したいデジタルズームで表示されている８０５とが異なる場合、８００の「はい」ボタン８０６と「いいえ」ボタン８０７がアクティブに表示される。ここで焦点距離を変更する「はい」ボタン８０６を押下されると、ステップＳ４０５へと処理を移行する。図４のフローチャートの説明に戻る。
【００７０】
ステップＳ４０５へと処理を移行すると、撮像装置１００は、ステップＳ３０８で取得した焦点距離に、ステップＳ４０１で設定されたズーム速度で、光学ズームを変更する処理を行う。光学ズームによりステップＳ３０８で設定された焦点距離に変更された例を図１０を参照して説明する。
【００７１】
図１０の１０００は、図８の８００の状況において、当初図７の７００の１８ｍｍの焦点距離から、図１０の１０００の１２０ｍｍまで光学ズームで焦点距離を変更させた後の表示部５４に表示される画面イメージである。この際、ステップＳ４０３とは異なり、動画記録は光学ズームさせる画像をそのまま記録する。
【００７２】
この光学ズームの記録により、ズーム速度を一定で、かつ事前にシミュレーションで設定された焦点距離にスムーズに移行でき、動画撮影しながらのズーミング処理をスムーズに記録する事ができる効果を有する。
【００７３】
一方、ステップＳ４０４で図８の８００で表示されている焦点距離を変更する「はい」ボタン８０６が押下されない場合は、ステップＳ４０６へと処理を遷移し、ステップＳ４０６において、撮像装置１００は、８００で表示されている焦点距離を変更する「いいえ」ボタン８０７が押下されたかどうか判断する。「いいえ」ボタン８０７が押下された場合は、ステップＳ３０５へと処理を戻し、図７の７００の表示画面へと戻る。また、焦点距離を変更する「はい」ボタン８０６も「いいえ」ボタン８０７も押下されていない場合は、ステップＳ３０６へと処理を戻し、図８の動画記録中のズームシミュレーションの設定画面の表示に戻る。
【００７４】
本発明におけるプログラムは、図３及び図４に示すフローチャートの処理方法を撮像装置１００が実行可能なプログラムであり、本発明の記憶媒体は図２の処理方法を撮像装置１００が実行可能なプログラムとして、撮像装置１００のＲＯＭ１１２に記憶されている。
【００７５】
以上のように、前述した実施形態の機能を実現するプログラムを記録した記録媒体を、撮像システムあるいは撮像装置に供給し、そのシステムあるいは装置の制御コンピュータ（またはＣＰＵやＭＰＵ）が記録媒体に格納されたプログラムを読出し実行することによっても、本発明の目的が達成されることは言うまでもない。
【００７６】
この場合、記録媒体から読み出されたプログラム自体が本発明の新規な機能を実現することになり、そのプログラムを記憶した記録媒体は本発明を構成することになる。
【００７７】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００７８】
また、コンピュータが読み出したプログラムを実行することにより、前述した実施形態の機能が実現されるだけでなく、そのプログラムの指示に基づき、制御コンピュータ上で稼働しているＯＳ（オペレーティングシステム）等が実際の処理の一部または全部を行い、その処理によって前述した実施形態の機能が実現される場合も含まれることは言うまでもない。
【００７９】
さらに、記録媒体から読み出されたプログラムが、制御コンピュータに挿入された機能拡張ボードや制御コンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８０】
また、本発明は、複数の機器から構成される撮像システムに適用しても、１つの機器からなる撮像装置に適用してもよい。また、本発明は、撮像システムあるいは撮像装置にプログラムを供給することによって達成される場合にも適応できることは言うまでもない。この場合、本発明を達成するためのプログラムを格納した記録媒体を該撮像システムあるいは撮像装置に読み出すことによって、その撮像システムあるいは撮像装置が、本発明の効果を享受することが可能となる。
【００８１】
さらに、本発明を達成するためのプログラムをネットワーク上のサーバ，データベース等から通信プログラムによりダウンロードして読み出すことによって、その撮像システムあるいは撮像装置が、本発明の効果を享受することが可能となる。
【００８２】
なお、上述した各実施形態およびその変形例を組み合わせた構成も全て本発明に含まれるものである。
【符号の説明】
【００８３】
１００  撮像装置
【図１】
2017085338.tif 000003
【図２】
2017085338.tif 000004
【図３】
2017085338.tif 000005
【図４】
2017085338.tif 000006
【図５】
2017085338.tif 000007
【図６】
2017085338.tif 000008
【図７】
2017085338.tif 000009
【図８】
2017085338.tif 000010
【図９】
2017085338.tif 000011
【図１０】
2017085338.tif 000012